(57)【要約】【課題】複数枚の光学レンズ及び間隔環の鏡筒部材への組込みを簡単にして組立工数を削減するとともに吸着盤による吸着汚れがレンズ面に付着しないようにする。【解決手段】最も外径の大きい第１レンズ１３を載置するレンズ台２２と、鏡筒部材を２分割して作った一対の整形部材２７，２８とを用いる。レンズ台２２の上に光学レンズ１３〜１８と間隔環３１〜３３とを外径の大きい順に積み重ね、積み重ねられた光学レンズ１３〜１８及び間隔環３１〜３３が、光軸２５の両側から整形部材２７，２８によって包むように挟まれてそれぞれの光軸中心が合わせられ、上方から鏡筒部材が被せられた後に上下が逆にされる。鏡筒部材の上からレンズ台２２が取り除かれて、押え環によって第１レンズ１３が固定される。【選択図】図１
2011043678.tif 000002
【特許請求の範囲】
【請求項１】
複数枚の光学レンズを鏡筒部材に組込むときに用いられる組立治具であって、
前記複数枚の光学レンズの中で最も外径の大きい第１レンズを載置するレンズ台と、
前記鏡筒部材が光軸を含む面で２分割されたときの一対の内壁面をそれぞれ押圧面として有する一対の整形部材とからなり、
前記整形部材によって前記レンズ台の上に外径の大きい順に積み重ねられた複数枚の光学レンズが光軸の両側から包むように挟まれて、前記複数枚の光学レンズの光軸中心が一致されることを特徴とする光学レンズ鏡筒の組立治具。
【請求項２】
前記積み重ねられた複数枚の光学レンズは、光学レンズの全部又は一部の間に、隣り合う２枚の光学レンズの間隔を決める間隔環が挿入されることを特徴とする請求項１記載の光学レンズ鏡筒の組立治具。
【請求項３】
前記一対の整形部材は、前記鏡筒部材を光軸を含む面で２分割して形成されたことを特徴とする請求項１又は２記載の光学レンズ鏡筒の組立治具。
【請求項４】
前記押圧面は前記光学レンズの外周面を押圧する複数の面が階段状に形成され、階段状のそれぞれの縁には面取りが設けられたことを特徴とする請求項１〜３いずれかに記載の光学レンズ鏡筒の組立治具。
【請求項５】
複数枚の光学レンズが鏡筒部材に組込まれた光学レンズ鏡筒の組立方法であって、
前記複数枚の光学レンズの中で最も外径の大きい第１レンズをレンズ台に載置する第１工程と、
前記第１レンズの上に他の光学レンズを外径の大きい順に積み重ねる第２工程と、
前記鏡筒部材が光軸を含む面で２分割されたときの一対の内壁面をそれぞれ押圧面として有する一対の整形部材で、前記積み重ねられた複数枚の光学レンズを光軸の両側から包むように挟み、前記複数枚の光学レンズの光軸中心を一致させる第３工程と、
前記一対の整形部材が除かれた後、前記積み重ねられた複数枚の光学レンズに上方から前記鏡筒部材を被せ、前記鏡筒部材の内部に前記複数枚の光学レンズを収容する第４工程と、
複数枚の光学レンズが収容された前記鏡筒部材を前記レンズ台に押圧し、押圧したままの状態で前記鏡筒部材と前記レンズ台とを逆さまにする第５工程と、
前記鏡筒部材の上から前記レンズ台を取り除いた後に、前記第１レンズを固定する第６工程と、
を順次に行うことを特徴とする光学レンズ鏡筒の組立方法。
【請求項６】
前記第６工程における前記第１レンズの固定方法は、前記鏡筒部材の前記第１レンズ側に抑え環を螺合させて前記第１レンズを押圧することを特徴とする請求項５記載の光学レンズ鏡筒の組立方法。
【請求項７】
前記第６工程における前記第１レンズの固定方法は、前記鏡筒部材の前記第１レンズ側に熱カシメを施して前記第１レンズを固定することを特徴とする請求項５記載の光学レンズ鏡筒の組立方法。
【請求項８】
前記第６工程において、前記第１レンズを前記鏡筒部材に接着材によって固定することを特徴とする請求項５記載の光学レンズ鏡筒の組立方法。
【請求項９】
前記積み重ねられた複数枚の光学レンズは、光学レンズの全部又は一部の間に、隣り合う２枚の光学レンズの間隔を決める間隔環が挿入されることを特徴とする請求項５〜８のいずれかに記載の光学レンズ鏡筒の組立方法。
【請求項１０】
前記鏡筒部材を光軸を含む面で２分割したものを前記一対の整形部材として用いたことを特徴とする請求項５〜９のいずれかに記載の光学レンズ鏡筒の組立方法。
【発明の詳細な説明】
【技術分野】
【０００１】
本発明は、鏡筒部材に複数の光学レンズが組込まれた光学レンズ鏡筒の組立治具及び組立方法に関するものである。
【背景技術】
【０００２】
従来、鏡筒部材に複数の光学レンズを組込むには、外径の小さいレンズから順に挿入し、２枚のレンズ外周部分が直接当接しないレンズ間には間隔環が挿入される。最も外径の大きなレンズが挿入され抑えリングで固定されるとレンズの組込みが完了する。鏡筒部材が熱可塑性樹脂で形成されているものは、抑えリングで固定する代わりに、鏡筒部材の先端にカシメ代部が形成され、このカシメ代部が熱カシメ装置によって付熱状態で加圧されて塑性変形し、光学レンズが固定される。鏡筒部材に光学レンズを組込むには、吸着ペンの先端に光学レンズを吸着させて鏡筒部材内に挿入するが、吸着ペンの先端に設けられた吸着盤による汚れが光学レンズのレンズ面に付着してしまう。
【０００３】
これに対しては、光学レンズのコバ面（外周面）を把持すれば良いが、コバ面を把持していたのでは鏡筒部材内に挿入させることはできず、鏡筒部材の入口で自然落下させて鏡筒部材内の所定の段差内に落とし込まなければならない。この方法は位置合わせなどが難しく上手く入れるのは至難であり、落とした後に更に嵌合させる作業が必要となり多くの組立工数が掛かってしまう。下記特許文献１には、鏡筒部材を縦に２つ割にして、半分にされた鏡筒部材の一方を横にして複数枚の光学レンズを装着し、残りの鏡筒部材の半分を被せて組立てた光学レンズ鏡筒が記載されている。
【先行技術文献】
【特許文献】
【０００４】
【特許文献１】特開２００６−０２３６３２号公報
【発明の概要】
【発明が解決しようとする課題】
【０００５】
しかしながら、前記特許文献１記載の光学レンズ鏡筒のようにレンズ光軸を横向きにして鏡筒部材に複数枚の光学レンズの組込みを行う方法では、各々の光学レンズの光軸合わせが非常に困難であり光軸ずれが生じてしまう。また、鏡筒部材が２つに分割されたものであるため組立後のレンズ収容部が正しく真円とならず、これも光軸ずれの原因となってしまう。
【０００６】
本発明は上記問題に鑑み、複数の光学レンズの光軸を高精度に保持するためにレンズスペースが真円形で一体に形成された従来の鏡筒部材を用いても、光学レンズの組込みを簡単にして組立工数を削減するとともに吸着盤による吸着汚れがレンズ面に付着しないようにした光学レンズ鏡筒の組立治具及び組立方法を提案するものである。
【課題を解決するための手段】
【０００７】
本発明による光学レンズ鏡筒の組立治具は、複数枚の光学レンズを鏡筒部材に組込むときに用いられる組立治具であって、前記複数枚の光学レンズの中で最も外径の大きい第１レンズを載置するレンズ台と、前記鏡筒部材が光軸を含む面で２分割されたときの一対の内壁面をそれぞれ押圧面として有する一対の整形部材とからなり、前記整形部材によって前記レンズ台の上に外径の大きい順に積み重ねられた複数枚の光学レンズが光軸の両側から包むように挟まれて、前記複数枚の光学レンズの光軸中心が一致されることを特徴とする。
【０００８】
前記積み重ねられた複数枚の光学レンズは、光学レンズの全部又は一部の間に、隣り合う２枚の光学レンズの間隔を決める間隔環が挿入されるようにしても良い。前記一対の整形部材は、前記鏡筒部材を光軸を含む面で２分割して形成されることが好ましい。前記押圧面は前記光学レンズの外周面を押圧する複数の面が階段状に形成され、階段状のそれぞれの縁に面取りを設けるようにしても良い。
【０００９】
本発明による光学レンズ鏡筒の組立方法は、複数枚の光学レンズが鏡筒部材に組込まれた光学レンズ鏡筒の組立方法であって、前記複数枚の光学レンズの中で最も外径の大きい第１レンズをレンズ台に載置する第１工程と、前記第１レンズの上に他の光学レンズを外径の大きい順に積み重ねる第２工程と、前記鏡筒部材が光軸を含む面で２分割されたときの一対の内壁面をそれぞれ押圧面として有する一対の整形部材で、前記積み重ねられた複数枚の光学レンズを光軸の両側から包むように挟み、前記複数枚の光学レンズの光軸中心を一致させる第３工程と、前記一対の整形部材が除かれた後、前記積み重ねられた複数枚の光学レンズに上方から前記鏡筒部材を被せ、前記鏡筒部材の内部に前記複数枚の光学レンズを収容する第４工程と、複数枚の光学レンズが収容された前記鏡筒部材を前記レンズ台に押圧し、押圧したままの状態で前記鏡筒部材と前記レンズ台とを逆さまにする第５工程と、前記鏡筒部材の上から前記レンズ台を取り除き、前記第１レンズを固定する第６工程と、を順次に行うことを特徴とする。
【００１０】
前記第６工程における前記第１レンズの固定方法は、前記鏡筒部材の前記第１レンズ側に抑え環を螺合させて前記第１レンズを押圧するようにすると良い。又は、前記鏡筒部材の前記第１レンズ側に熱カシメを施して前記第１レンズを固定しても良い。あるいは、前記第１レンズを前記鏡筒部材に接着材によって固定しても良い。また、前記積み重ねられた複数枚の光学レンズは、光学レンズの全部又は一部の間に隣り合う２枚の光学レンズの間隔を決める間隔環が挿入されるものであっても良い。前記一対の整形部材は前記鏡筒部材が光軸を含む面で２分割されたものが好ましい。
【発明の効果】
【００１１】
本発明によれば、鏡筒部材への各光学レンズの組込みは一度に行われるので簡単であり、組込まれることで各光学レンズの光軸が高精度に位置決めされ、光学レンズを組込む際にレンズ面を吸着ペンで吸着することがないからレンズ面が汚れることはない。
【図面の簡単な説明】
【００１２】
【図１】組立治具及び第３工程を説明する図である。
【図２】光学レンズ鏡筒の１／２断面図である。
【図３】鏡筒部材の断面図である。
【図４】第１工程を説明する図である。
【図５】第２工程を説明する図である。
【図６】第４工程を説明する図である。
【図７】第５工程の始めの状態を示す図である。
【図８】第５工程の終わりの状態を示す図である。
【図９】第６工程を説明する図である。
【図１０】組立工程後の完成図である。
【図１１】別の鏡筒部材を用いた組立工程後の完成図である。
【発明を実施するための形態】
【００１３】
図１に示すように、本発明による光学レンズ鏡筒１０（図２参照）の組立治具は、複数枚の光学レンズ１３〜１８を鏡筒部材２０（図３参照）に簡単に組込むために用いる治具であり、複数枚の光学レンズ１３〜１８の中で最も外径の大きい第１レンズ１３を載置するレンズ台２２と、鏡筒部材２０が光軸２５を含む面で２分割されて形成された一対の整形部材２７，２８とから構成される。整形部材２７，２８は、レンズ台２２の上に外径の大きい順に積み重ねられた光学レンズ１３〜１８と、光学レンズ１３〜１８の間に必要に応じて挿入され隣り合う２枚の光学レンズの間隔を決める間隔環３１〜３３とを、光軸２５の両側から包むように挟んで、前記複数枚の光学レンズの光軸中心を一致させる。
【００１４】
図３に示すように、鏡筒部材２０に形成された各レンズスペース３５〜３９の挿入側の縁にはそれぞれ面取り４１〜４５が施され、積み重ねられた複数枚の光学レンズ１３〜１８及び間隔環３１〜３３の上方から鏡筒部材２０を被せたときに、光学レンズ１３〜１８及び間隔環３１〜３３の外周縁に鏡筒部材２０の各レンズスペース３５〜３９の挿入側の縁を当接させることなく、光学レンズ１３〜１８及び間隔環３１〜３３をそれぞれのレンズスペース３５〜３９に収容させることができ、整形部材２７，２８によって光学レンズ１３〜１８及び間隔環３１〜３３の光軸一致精度が高精度でなくても良いようになされている。
【００１５】
なお、整形部材２７，２８は、鏡筒部材２０の内壁面と同じ形状の一対の押圧面４７，４８が形成されていれば良く、例えば、２分割された鏡筒部材２０のそれぞれに把持部が形成されていても良いし、鏡筒部材２０を成形する金型の一部を用いて作られたものでも良く、あるいは、まったく新しく作られたものであっても良い。また、光学レンズ１６と１７の間には間隔環を用いていないが、レンズ設計上の必要性に応じて全ての光学レンズの間に間隔環を用いても良い。
【００１６】
次に、本発明による光学レンズ鏡筒１０の組立方法について、複数枚の光学レンズ１３〜１８が鏡筒部材２０に組込まれる手順を工程順に説明する。
【００１７】
（第１工程）図４に示すように、光学レンズ１３〜１８の中で最も外径の大きい第１レンズの外周面を把持して、第１レンズ１３をレンズ台２２に載置する。
【００１８】
（第２工程）図５に示すように、第１レンズ１３の上に間隔環３１を載せ、その上に貼り合わせレンズ１４，１５が外周面を把持されて載せられる。同様に、間隔環３２、光学レンズ１６、１７、間隔環３３、光学レンズ１８と外径の大きい順に積み重ねられる。
【００１９】
（第３工程）図１に示すように、鏡筒部材２０を光軸２５を含む面で２分割されて形成された一対の整形部材２７，２８は、それぞれの内壁面を一対の押圧面４７，４８として、積み重ねられた光学レンズ１３〜１８及び間隔環３１〜３３を光軸２５の両側から包むように挟んで、光学レンズ１３〜１８及び間隔環３１〜３３の光軸中心を一致させる。
【００２０】
（第４工程）図６に示すように、整形部材２７，２８が除かれた後、積み重ねられた光学レンズ１３〜１８及び間隔環３１〜３３に上方から鏡筒部材２０を被せ、鏡筒部材２０の内部に光学レンズ１３〜１８及び間隔環３１〜３３を収容する。
【００２１】
（第５工程）図７に示すように、光学レンズ１３〜１８及び間隔環３１〜３３が収容された鏡筒部材２０をレンズ台２２に押圧し、押圧したままの状態で鏡筒部材２０とレンズ台２２とを逆さまにして図８に示す姿勢とする。
【００２２】
（第６工程）図９に示すように、鏡筒部材２０の上からレンズ台２２を取り除き、レンズ台２２を取り除いたところに抑え環５０を載置して外周に形成された雄ネジ５１を鏡筒部材２０の雌ネジ５２に螺合させ、図１０に示すように、第１レンズ１３を抑え環５０で押圧して、光学レンズ１３〜１８及び間隔環３１〜３３を鏡筒部材２０に固定する。
【００２３】
前記第１工程〜第６工程までの作業によって光学レンズ１３〜１８及び間隔環３１〜３３が鏡筒部材２０に収容され固定された光学レンズ鏡筒１０の組立が完了する。
【００２４】
前記実施形態は、鏡筒部材２０の第１レンズ１３側に雄ネジ５１を形成し抑え環５０によって第１レンズ１３を押圧、固定するように構成したが、図１１に示すように、鏡筒部材６０の第１レンズ１３側の先端にカシメ代部６２を設けて、熱カシメ装置によってカシメ代部６２を付熱状態で加圧し変形させて第１レンズ１３を押圧、固定するようにしても良い。あるいは、接着材を用いて第１レンズ１３を鏡筒部材６０に接着固定しても良い。熱カシメや接着固定については周知技術であり、具体的方法の説明は省略する。
【符号の説明】
【００２５】
１０  光学レンズ鏡筒
１３  第１レンズ（光学レンズ）
１４，１５  貼り合わせレンズ（光学レンズ）
１６〜１８  光学レンズ
２０，６０  鏡筒部材
２２  レンズ台
２５  光軸
２７，２８  整形部材
３１〜３３  間隔環
３５〜３９  レンズスペース
４１〜４５  面取り
４７，４８  押圧面
５０  抑え環
５１  雄ネジ
５２  雌ネジ
６２  カシメ代部
【図１】
2011043678.tif 000003
【図２】
2011043678.tif 000004
【図３】
2011043678.tif 000005
【図４】
2011043678.tif 000006
【図５】
2011043678.tif 000007
【図６】
2011043678.tif 000008
【図７】
2011043678.tif 000009
【図８】
2011043678.tif 000010
【図９】
2011043678.tif 000011
【図１０】
2011043678.tif 000012
【図１１】
2011043678.tif 000013